Podtech/llm-jp-corpus-v4-ja_patent huggingface dataset:
(57)【要約】      （修正有）【課題】強い跳ね返りを防止できるバッティングゲージを提供する。【解決手段】開閉式のバッティングゲージ及び中折れ型開閉式バッティングゲージの側面枠の場合は間口の縦パイプを省き所要強度を有する構成部材を枠の対角線にＸ字状に設ける。固定式バッティングゲージの場合は之に加へ天井部の間口の横パイプを省き同様に対角線にＸ字状に構成部材を設ける。【選択図】図１
2013081732.tif 000002
【特許請求の範囲】
【請求項１】
野球ソフトボールの打撃練習に使用されるバッティグゲージに関するものである。
その側面枠或いは側面枠と天井面枠の間口の構成部材を省き其々に対角線にＸ字状に所要強度を有する構成部材を設けたことを特長とする。
【発明の詳細な説明】
【技術分野】
【０００１】本発明は重大な事故となる確率の高い跳ね返り打球がほとんど生じないバッティングゲージに関するものである。
【背景技術】
【０００２】バッティングゲージは野球ソフトボールの打撃練習において想定外の方向に飛んだ打球によって人建物自動車等に危害を与えることを防ぐのに非常に有効な方法で広く一般的に使用されている。【０００３】従来からほとんどのバッティングゲージの側面と天井面は長方形ないしそれに近い台形として構成されていることが多く側面枠の縦パイプは鉛直に構成され天井枠の天井横パイプは投げられたボールの進行方向にほぼ直角の設置となっている。【０００４】鋭い打球の跳ね返りが打者に重大な危害を加える確率が最も高い。即ちバッティングゲージの間口の縦パイプと天井横パイプでの打球の跳ね返りが最も重要な問題であった。
【発明の開示】
【発明が解決しようとしている課題】
【０００５】バティングゲージの間口の縦パイプと天井横パイプを無くし跳ね返り球の危険度を大幅に小さくすると共に其れに代わる部材からの跳ね返りの危険度を低くすること。
【課題を解決するための手段】
【０００６】開閉式バッティングゲージにおいては側面枠の間口の縦パイプを無くし所要の強度の部材を対角線にＸ字状に配する。固定式バッティングゲージにおいてはこれに加えて間口の天井横パイプを無くし所要の強度の部材を対角線にＸ字状に配する。固定式バッティングゲージの場合それぞれ単独に適用する事も本特許の範囲である。
【発明の効果】
【０００７】開閉式バッティングゲージ及び中折れ型開閉式バッティングゲージにおいて危険打球が跳ね返ってくる間口の縦パイプの範囲はおおよそ次の様に考えられる。最も高い打球を打って危険球が頭部へ跳ね返ってくる間口の縦パイプの位置は打者の頭頂部付近の高さ程度で最も低い球は最下部付近の高さ程度と推測出来ほぼ身長程度の部分が危険ゾーンと言える。この議論は固定式バッティングゲージにも適用できる。
【０００８】固定式バッティングゲージの間口の天井横パイプによる跳ね返り危険球はおおよそ外角一杯のボールの打球が内角一杯に跳ね返ってくる天井横パイプの位置から内角一杯のボールの打球がバッターボックス外側ライン上で打者の後ろ位置に跳ね返ってくる天井横パイプの位置まで即ちホームベースの中心とセカンドベースの中心を結ぶ線上方とこれに平行なバッターボックスの中心線上方の間口の天井横パイプ部分がおおよその危険ゾーンといえる。
【０００９】いずれも危険ゾーンはかなり大きいと言わざるを得ない。
【００１０】本発明により打球が前方に飛ぶ限り打者の方向へ跳ね返ることは殆どない。前方へ飛ばない打球は当たり損ねのため球速は相対的に遅く危険度は低いといえる。対角線を結ぶ構成部材の側面クロスパイプ５天井面クロスパイプ６と打者はクロス位置関係にありこれらによる危険ゾーンは非常に狭く加えてバッティングゲージは一般に間口方向に左右上方向に広がっており危険ゾーンは打者の真横真上から後方となるため危険球となる確率は非常に低くなる。２打席３打席等多打席のバッティングゲージの中間間仕切枠にも適用でき有用である。
【発明を実施するための最良の形態】
【実施例１】
【００１１】開閉式バッティングゲージの側面枠の間口の縦パイプを省き対角線にＸ字状の所要の強度の側面クロスパイプ５を設ける。【００１２】中折れ型開閉式バッティングゲージの場合も間口側の側面枠にも同様に適用する。【００１３】固定式バッティングゲージの場合は側面枠への適用に加えて天井枠の間口の横パイプを省き同様に天井面クロスパイプ６を設ける
【図面の簡単な説明】
【００１４】
【図１】開閉式バッティングゲージの平面図である。
【図２】開閉式バッティングゲージの側面図である。
【図３】開閉式バッティングゲージの立面図である
【図４】中折れ型開閉式バッティングゲージの平面図である。
【図５】中折れ型開閉式バッティングゲージの側面図である。
【図６】中折れ型開閉式バッティングゲージの立面図である。
【図７】固定式バッティングゲージの平面図である。
【図８】固定式バッティングゲージの側面図である。
【図９】固定式バッティングゲージの立面図である。
【符号の説明】１          取り付けられた防球ネットの間口における端
（ネット全体は図面を見易くするため省略）
２          側面枠下部パイプ
３          側面枠上部パイプ
４          側面枠縦パイプ
５          側面クロスパイプ
６          天井面クロスパイプ
７          後部支持体
８          中折れヒンジ
９          自在車輪
【図１】
2013081732.tif 000003
【図２】
2013081732.tif 000004
【図３】
2013081732.tif 000005
【図４】
2013081732.tif 000006
【図５】
2013081732.tif 000007
【図６】
2013081732.tif 000008
【図７】
2013081732.tif 000009
【図８】
2013081732.tif 000010
【図９】
2013081732.tif 000011
(57)【要約】      （修正有）【課題】固形石鹸の使用時に、手指が滑るのを防ぐ、固形石鹸の滑り防止具を提供する。【解決手段】あらい網目からなる筒状の網の中央部に、軟質ビニール材からなる伸縮する輪２を設け、その輪２の位置から網を折り返して、二重の網袋３を設け、網袋３の開閉口部の端に、面ファスナーテープ４を設ける。面ファスナーテープ４は、凹部面と凸部面を背中合わせに一対とし、凹部面の片側に、背中合わせに折り曲げたベロ状の凸部面の片端を接着する。【選択図】図１
2013081740.tif 000002
【特許請求の範囲】
【請求項１】
筒状の網の中央部に輪を設け、輪部から網を折り返して、網袋を設け、網袋の開閉口部の端に、面ファスナーテープを設けた固形石鹸の滑り防止具。
【発明の詳細な説明】
【技術分野】
【０００１】  本発明は、固形石鹸の使用時に、手指が滑るのを防ぐ、固形石鹸の滑り防止具に関するものである。
【背景技術】
【０００２】  従来、固形石鹸を使用したときは、性質上、濡らすと滑りやすくなる。そのために、手指を滑らせて、石鹸を落とすことがあった。
なお、手洗い用の石鹸を網袋に入れて、水道の蛇口部に吊り下げたり、小さくなった石鹸を、スポンジ状の袋に入れて、利用するなどが知られている。
【発明の概要】
【発明が解決しようとする課題】
【０００３】  そのために、次のような問題点があった。
児童の小さい手指では、滑りやすい石鹸を、しっかり握り持つことは難しく、また、年をとった人や手指にこわばりのある人が、少しずつ減って小さくなる石鹸を、掴かむことも難しくて、身体を洗う手間がかかった。
本発明は、以上の問題点を解決しようとするものである。
【課題を解決するための手段】
【０００４】  筒状の網の中央部に輪を設け、輪部から網を折り返して、二重の網袋を設け、そして、網袋の開閉口部の端に面ファスナーテープを設ける。以上を特徴とする固形石鹸の滑り防止具である。
【発明の効果】
【０００５】  本発明は、網袋で包んだ固形石鹸の使用中に、内側の網目が、石鹸の表面に食い込むことで、外側の網による手指の滑りを防ぐ効果が大となる。また、この結果、網と網がこすれると泡立ちがよく、あらい網目だから、乾燥も速い。
【図面の簡単な説明】
【０００６】
【図１】本発明の斜視図
【図２】本発明の分解斜視図
【図３】本発明の使用状態を示す斜視図
【発明を実施するための形態】
【０００７】  以下、本発明の実施の形態を説明する。
（イ）あらい網目からなる筒状の網（１）の中央部に、軟性ビニール材からなる伸縮する輪（２）を通して設ける。
（ロ）輪（２）の位置から網（１）を折り返して、二重の網袋（３）を形成する。
（ハ）網袋（３）の開閉口部（８）の端に、面ファスナーテープ（４）を取り付ける。
（二）面ファスナーテープ（４）は、凹部面（５）と凸部面（６）を、背中合わせに一対とし、この凸部面（６）の片端に、背中合わせに折り曲げたベロ状の凸部面（７）の片端を接着する。
本発明は、以上の構成よりなっている。
本発明を使用するときは、上記の網袋に固形石鹸を縦長に入れたあと、石鹸上部の網を絞って、凸部面（６）とベロ状の凸部面（７ｂ）で挟み、残りの網を手前に折り曲げて、開閉口部（８）の端を、ベロ状の凸部面（７ａ）の上に置き、凸部面（６）で束ねて巻きながら、凹部面（５）に付ける。この結果、網の折り曲げ部を、フックに引っかけて吊り下げることができる。また、面ファスナーテープ（４）の下部の網を手指の叉で挟むと、安定して使いやすくなる。
【符号の説明】
【０００８】１網
２輪
３網袋
４面ファスナーテープ
５凹部面
６凸部面
７凸部面
８開閉口部
【図１】
2013081740.tif 000003
【図２】
2013081740.tif 000004
【図３】
2013081740.tif 000005
(57)【要約】      （修正有）【課題】消費者自身が容易に先端の曲がりを修復し、再利用し、長期間使用可能な方法を提供する。【解決手段】歯ブラシのヘッド基部に適合する歯ブラシキャップによって、外部から内在するブリッスル匡整櫛を制御し、使用によるブリッスルの曲がりを予防又は匡整する。【選択図】図１
2013081736.tif 000002
【特許請求の範囲】
【請求項１】
歯ブラシのヘッド基部に適合する歯ブラシキャップの外部から内在するブリッスル匡整櫛を制御し、使用によるブリッスルの曲がりを予防又は匡整する歯ブラシのキャップ。
【発明の詳細な説明】
【技術分野】
【０００１】  本発明は、日常大多数の人が使用する歯ブラシのうち、行と列からなるブリッスルを有し、中央列ブリッスルを短く刈り込み、外側列には片側先細のブリッスルを長く、反対側の切断側をやゝ短く段差をつけて植毛する、所謂歯列を挟んで磨く歯ブラシを長期間に亘り快適に使用し得るよう発明されたが、ブリッスルの形態に関係なく歯ブラシヘッド部とブリッスルのピッチ、位置に適合すれば応用は可能である。
【発明の開示】
【発明が解決しようとする課題】
【０００２】  従来、歯ブラシは使用によってブリッスルの先端約１／３位は図４、５の様に外側に曲がり、全体に先端が開いた状態になる。各メーカーは買い換えるように奨めているが、消費者としては衛生上問題がなく、手間も掛からず、使用効果が同じならば買い換えの必要はないと考える。
【課題を解決する為の手段】
【０００３】  歯ブラシ使用後の衛生については熱湯消毒が簡易で、殆んど手間も費用も掛からず有用であるが、ブリッスル先端の曲がり、特に歯ブラシの図５で示す軸方向の曲がりは匡整が難しく、本発明では歯ブラシに適合するキャップの内面に設ける匡整櫛を外側から移動し、図４と共に図５で示す軸方向の曲がりも匡整し得るようにした。
【発明の効果】
【０００４】  歯ブラシの販売時に、匡整キャップも付属品として添付して販売し、毎回歯ブラシの使用後キャップを被せて置くか、１週間に一度位の割合でキャップを被せ、熱湯滅菌すると共にブリッスルの曲がりを匡整すれば、長期間新品同様に維持し得る。
【図面の簡単な説明】
【０００５】
【図１】本歯ブラシブリッスルの立体匡整具の正面図
【図２】同側面図
【図３】匡整スライド櫛刃の三面図
【図４】匡整具不使用で２〜３ヶ月使用した場合の歯ブラシヘッド部の側面図
【図５】図４と９０°別の角度から見た側面図
【符号の説明】
【０００６】１      匡整キャップ外郭
２      蝶番
３      係止具
４      匡整釦
５      ガイドスリット
６      ブリッスル匡整櫛
７      スライドスペース
８      通気孔
【図１】
2013081736.tif 000003
【図２】
2013081736.tif 000004
【図３】
2013081736.tif 000005
【図４】
2013081736.tif 000006
【図５】
2013081736.tif 000007
(57)【要約】      （修正有）【課題】金属パイプをアーチ形に形成したアーチのペアーに、高さを締結リング又は開閉式固定具に前後の架設部材を架け渡して構成した物干し装置を提供する。【解決手段】アーチベッドの架設部材間に設けた間隙に連結リング又は開閉固定具３を複数固定してア−チ１間に鎖１３を適宜係止して物干し装置を設ける。【選択図】図５
2013081739.tif 000002
【特許請求の範囲】
【請求項１】
ペア−ア−チに架け渡す横架け材を所定間隔隔離し、該横架け材相互間に寝具を架けるとともに、該アーチに係止した複数の係止具で所定の高さに係留して展張せしめた鎖を物干装置に使用して成る物干しベッド。
【請求項２】
鎖が合成樹脂製である請求項１に記載の物干しベッド。
【発明の詳細な説明】
【技術分野】
【０００１】  本発明はベッドの物干し装置に関する。
【背景技術】
【０００２】  従来、物干しは一本の架設部材を使用している、あるいは又、単にネット自体に重みを載せる支持具としての使用であった。【０００３】
【特許文献１】特開２０１０−０１２１１３４
【特許文献２】特開２００４−２０８９５５
【特許文献３】特開平１０−１１７８９４
【特許文献４】特許第４６７３４３８
【発明の開示】
【発明が解決しようとする課題】
【０００４】  本発明の解決すべき課題は頭の重量は特別重くて支持部の負荷を支えるためにネット全体の強度が必要で、ネットを構成するロープの柔軟性・耐久性などで改善すべき難題があり、頭の支持部は適当な柔軟性と揺れ止めのために広くて安定した幅も必要で、高さが適切に調節でき、着脱自在に組み立て・解体を簡単にすることであるが、本出願人は上記課題を解決したが、空中にあるペア−ア−チには簡単な構造の物干し装置を提供し、利用範囲を拡大することが課題である。
【課題を解決するための手段】
【０００５】  本発明は請求項１においては前後に隔離した枕材相互間のアーチに係止した係止具で所定の高さに係留せしめて展伸せしめる連結具による乾燥対象物の支持構造であり、ア−チに係止めした係留具に鎖を所定の長さに切断して、所定位置に係止して鎖の連鎖を設けるのが適切であり、請求項２は鎖が適度に強度があり、人命を害なわない弱さを具備せしめる素材を利用することで安全性を確保することであり、合成樹脂製の鎖がのぞましい。
【発明の効果】
【０００６】  本発明により、部屋の隅に置いて移動し易くたかさも調節し易く軽量でコンパクトで、アーチを利用して下着・布団・毛布・寝具の干し場とし、照明を設けて深夜の勉強室にしたり、カーテン・暗幕などで即席の安眠室に変化・介護ベッドに低価格で転用可能・下着などが乾燥可能な空間を提供できるので省エネ生活が可能になる。組み立ても蝶ネジによる手指のボルト締めなので簡単である。
【発明を実施するための最良の形態】
【０００７】  本発明は本発明人のペア−のア−チを利用した一実施例をあげたもので、ペアーのアーチ式ベッドは同じ方式の乾燥装置で利用できる。
図面によれば、ペアーのアーチ１が前後の支持台２にネジ固定した支持金具３に上方からアーチの下端を差し込んである。該ペアーは上部の両側の締結リング（又は開閉式固定具）に着脱自在の幅部材により所定間隔で並立支持される。
さらに該支持台２より若干高い所定位置の前後両側に開閉式固定具３が係止してあり、前後の架設部材１１，１２は該開閉式固定具３に載置してあるので下方には下がらず、もちあげれば、上昇自在である。該架設部材には寝具の荷重が架かるるので組み立て後は安定して使用できる。該前後の架設部材１１・１２のうち前の架設部材にはアーチに差し入れるアーチ溝が設けてあり、後の連結枕とした架設部材とに底部材が取り付けてある。
上記架設部材は間伐材が利用可能でコストの安いエコ製品が提供できる。
更に図５において，ア−チに開閉固定具３を要所に設定して連鎖となし、広い面積の物干し場をベッド上に構えられる
【産業上の利用可能性】
【０００８】  本発明により解体収納に便利であり、災害時の救急ベッドとして運搬容易で即応性があり、床の構成や素材に関係なく設定可能で、乾燥に便利で障害者にも利用・安眠し易いベッドを提供できる。
【図面の簡単な説明】
【０００９】  各図はいずれも本発明による縮小概略図で、
【図１】  は横架け材による連結枕の設定の斜視図
【図２】  連結枕の構成の側面図
【図３】  横架部材の平面図、
【図４】  連結枕の平面図
【図５】  平面図である。
【符号の説明】
【００１１】  １  アーチ              １１  横架材
２  支持台              １２  連結枕
３  開閉固定具          １３  合成樹脂製鎖
【図１】
2013081739.tif 000003
【図２】
2013081739.tif 000004
【図３】
2013081739.tif 000005
【図４】
2013081739.tif 000006
【図５】
2013081739.tif 000007
(57)【要約】【課題】この発明は、漏斗に手を添えて溢れる又漏斗に手を添えなければ斜めに傾き零すことがあり、おろし金の一端の漏斗をつけた漏斗付おろし金を提供する。【解決手段】漏斗（１）の一端におろし金（２）を設けおろし金（２）の上部に把手（３）を設けたことを特徴とする。【選択図】図１
2013081745.tif 000002
【特許請求の範囲】
【請求項１】
漏斗（１）の上部におろし金（２）を設けおろし金（２）の上部に、把手（３）を設けた漏斗付おろし金。
【発明の詳細な説明】
【技術分野】
【０００１】本発明は、調理道具のだいこん等をおろすおろし金に漏斗をつけた漏斗付おろし金に関するものである。
【背景技術】
【０００２】従来、おろし金と漏斗は個別の単体であって、別々の調理ツールとして使っていた。
【発明の概要】
【発明が解決しようとする課題】
【０００３】これは、つぎのような欠点があった。
今までは、漏斗を使い調味液を移す場合、漏斗を手で持って液体が指に付着したり、又持たないで漏斗が斜めに傾き調味液を零すことがあった。
本発明は以上のような欠点をなくすためになされたものである。
【発明が解決するための手段】
【０００４】漏斗の一端におろし金を設け、おろし金の上部に把手を設けた。
本発明は、以上の構成よりなる漏斗付おろし金である。
【発明の効果】
【０００５】おろし金に、漏斗が一体になっているので、漏斗、おろし金を必要とする場合把手を持って使い、今まで指にかかったり漏斗が斜めに傾き零していたことを解決した
【発明を実施するための形態】
【０００６】以下、本発明の実施の形態を説明する。
（イ）逆円錐状からなる漏斗（１）の開口縁の一部を上方に延長突出させておろし金（２）とし、おろし金（２）の内側をすりおろし部（４）とする。
（ロ）おろし金（２）の上部に把手（３）を設ける。
本発明は以上のような構造であるから漏斗付おろし金である。
以下、使用法について説明する。
漏斗（１）を使う場合、把手（３）を持って使うことができ又、おろし金（２）を使う場合、余分な水分を取り除くことができるものである。
【図面の簡単な説明】
【０００７】
【図１】本発明の斜視図である。
【図２】本発明の使用状態を示した斜視図である。
【図３】本発明の使用状態を示した断面図である。
【符号の説明】
【０００８】１は漏斗
２はおろし金
３は把手
４は刷おろし部
【図１】
2013081745.tif 000003
【図２】
2013081745.tif 000004
【図３】
2013081745.tif 000005
(57)【要約】      （修正有）【課題】乳児、要介護者のオムツ交換には従来衣服の着脱が必要であり、衣服を身に着けたままオムツ交換が必要かどうかを確認することは不可能だった。時には、オムツの外に排泄が漏れることもあった。【解決手段】金属のアーチ状のセンサー２をオムツと皮膚の間に設置し、ＬＥＤライト９、ブザー音の出るケース１１を衣服の腰の部分に装着する。排泄があった際には、腰の部分で、ライトが光るまたは、ブザー音がなるので、オムツの交換のタイミングがよくわかるようになる。そうすることで、育児、介護従事者のオムツ替えの負担が軽減される。【選択図】図１
2013081742.tif 000002
【特許請求の範囲】
【請求項１】
オムツの内側にセンサーを取付け、衣服に取付自在に報知部を設け、排泄の有無を衣服を着脱せずに行うことができる再利用可能なおしっこ検出器。
【発明の詳細な説明】
【技術分野】
【０００１】本発明は、乳児や介護を必要とする方を対象に開発されたものである。
【背景技術】
【０００２】従来のオムツ替えは、洋服の着脱をし、オムツを目で確認するまで、排泄物の有無が確認できなかった。特に布オムツの場合、排泄の量、タイミングによって、頻繁に交換をしていても漏れることがよくある。それを解消するために開発された技術である。
【先行技術文献】
【特許文献】
【０００３】
【特許文献１】  特開平１１−１１３９５７号公報
【発明の概要】
【発明が解決しようとする課題】
【０００４】これまで、服の着脱なしに、オムツ替えが必要であるかどうかがわからなかったため、常にオムツを確認する必要があった。それ故、オムツ替えに非常に神経を使い、面倒で、精神的な負担が多かった。さらに、常に確認していても、漏れてしまうことがあり、育児、介護従事者の仕事が増えてしまうこともよくある。
【課題を解決するための手段】
【０００５】オムツの内側にセンサーを取付け、衣服に取付自在に報知部を設け、排泄の有無を衣服を着脱せずに行うことができる再利用可能なおしっこ検出器。
【発明の効果】
【０００６】  従来は、衣服を着脱し、オムツ替えが必要かどうか確認をしていたが、本発明により、その必要がなくなり、オムツ替えがスムーズにできるようになる。それにより、育児、介護従事者の負担が軽減される。
本発明では、布オムツだけではなく、紙オムツにも適応しており、簡単に装着で何度も使用が可能である。
【図面の簡単な説明】
【０００７】
【図１】本発明の全体図
【図２】本発明のセンサー部分の斜視図
【図３】本発明のセンサー部分の側面図
【図４】本発明のケーブル部分
【図５】本発明のケーブル部分の断面図
【図６】本発明のセンサー部分を覆うカバー図
【図７】本発明のＬＥＤライト部分の斜視図
【図８】本発明のブザー音お知らせ部分の斜視図
【図９】布オムツ使用時の状態を示す図
【図１０】紙オムツ使用時の状態を示す図
【図１１】光サイン、ブザー音お知らせ部分の側面図
【発明を実施するための形態】
【０００８】以下、本発明の実施の形態を説明する。
（イ）一実施例として、薄いシリコン材で、防水効果のあるやわらかい素材（１）の上に２本のアーチ状の金属のバンド（２）をとりつける。（図１・図３）アーチ状の表面が導体、裏面が非導体であることにより、センサー部分に湿気がたまるのを防ぎ、オムツ替え後の誤作動を防ぐ。
（ロ）アーチ状の金属バンド（２）は、表面に導体、裏面に非導体を使用する。アーチ型にすることにより、センサーに湿気が残るのを防ぎ、さらに、非導体をしようすることにより、オムツ替えと同時にセンサーを付け替えた際も、センサーが動かないようになる。
（ハ）やわらかい素材（１）にＬＥＤライト（９）、ブザー音のケース（１１）につながるケーブル（３）をとりつける。
（ニ）ケーブル（３）は、皮膚（１７）に直接接する為、やわらかい防水生地（４）、銅線（６）からなり、非導体（５）はそれぞれ独立させる。
（ホ）紙オムツ（２０）使用時はセンサーが直接皮膚（１７）に触れないよう、センサー（７）に洗濯可能なガーゼのカバー（１６）をとりつける。（図１０）
（ヘ）ＬＥＤライト部分は、プラグ（８）、ＬＥＤライト（９）、オンオフが可能なスイッチ（１０）を小さなケース（１１）に搭載する。
（ト）ブザー音部分はスピーカー（１２）、ケーブル挿入部分（１３）、スイッチ（１０）、音量調節（１４）を小さなケース（１１）に搭載する。
（チ）ＬＥＤライト（９）、ブザー音部分は、どちらもクリップ（１５）により、洋服に設置ができるようにする。
おしっこ検出器部分は、電池稼動式で、金属アーチの導体部分が水に濡れると、光、音のセンサーが動作する仕組みである。金属アーチは、表面が導体、裏面が非導体である必要がある。裏面が非導体で無い場合、オムツ交換後も金属部分に湿気が残り、センサーが誤作動を起こしてしまうからである。
本発明は以上のような構造である。
【０００９】  本発明を使用するときは、布オムツ（１８）、または紙オムツ（２０）にセンサー部分をあて、洋服にクリップ（１５）を装着する。布オムツ（１８）使用時、布オムツ（１８）とオムツカバー（１９）の間にセンサー部分を設置し、ＬＥＤライト（９）、又はブザー音の出る報知部のケース（１１）を洋服の腰の部分にクリップ（１５）で装着する。紙オムツ（２０）の場合は、皮膚（１７）に直接センサー部分が触れないよう、洗濯可能なガーゼのカバー（１６）をセンサー部分につけ、紙オムツ（２０）の中に設置する。ＬＥＤライト（９）、ブザー音の出るケース（１５）を洋服の腰の部分に装着する。オムツ交換の際は、センサー部分をオムツからはずし、新しいオムツに乗せかえる。紙オムツ（２０）の場合は、ガーゼのカバー（１６）が濡れているので、新しいものに付け替え、その後、センサー部分を紙オムツ（２０）と皮膚（１７）の間に設置する。
排泄があった際には、ＬＥＤライト（９）、または、ブザー音で知らせがある。スイッチ（１１）により、ＬＥＤライト（９）、またはブザー音のお知らせを中止することも可能である。このお知らせ機能により、オムツ替えのタイミングが即座にわかるようになるので、非常に便利である。オムツが濡れたことがすぐにわかれば、これまでのように、漏れることがなくなり、長時間オムツが濡れたままの状況でよくおこる、オムツかぶれを防ぐことができる。
【符号の説明】
【００１０】１やわらかい防水素材、２アーチ状の柔らかい金属板、３ケーブル、４防水生地、５銅線、６非導体、７センサー、８プラグ、９ＬＥＤライト、１０スイッチ、１１ケース、１２スピーカー、１３ケーブルにつながる部分、１４音量調節、１５クリップ、１６ガーゼのカバー、１７皮膚、１８布オムツ、１９オムツカバー、２０紙オムツ
【図１】
2013081742.tif 000003
【図２】
2013081742.tif 000004
【図３】
2013081742.tif 000005
【図４】
2013081742.tif 000006
【図５】
2013081742.tif 000007
【図６】
2013081742.tif 000008
【図７】
2013081742.tif 000009
【図８】
2013081742.tif 000010
【図９】
2013081742.tif 000011
【図１０】
2013081742.tif 000012
【図１１】
2013081742.tif 000013
(57)【要約】【課題】マンションベランダの壁面に取り付けられている洗濯竿支持具に接合して、洗濯竿を高位置に移動させ、物を干す部分の大きさを変えられる物干し具を提供する。【解決手段】中空軸（１）の上部端より略３分の１の箇所を略９０度の角度をもって折り曲げ、折り曲げられた上部端にＵ型支持具（２）を設け、中空軸（１）の下部にＵ字金物（３）を設け、そのＵ字金物（３）でもって、洗濯竿支持具に接合せしめることを特徴とする。【選択図】図１
2013081744.tif 000002
【特許請求の範囲】
【請求項１】
中空軸（１）の上部を略９０度の角度をもって折り曲げ、折り曲げられた上部端にＵ型支持具（２）を設け、中空軸（１）の下部にＵ字金物（３）でもって洗濯竿支持具に接合して、洗濯竿を高位置に移動させる物干し具。
【請求項２】
中空軸（１）の上部を略９０度の角度をもって折り曲げ、折り曲げられた上部端に円型支持具（４）を設けた請求項１の物干し具。
【発明の詳細な説明】
【技術分野】
【０００１】  この発明は、マンションのベランダ壁面に取り付けられている洗濯竿支持具に接合して、洗濯竿を高位置に移動させる洗濯物干しに関するものである。
【技術背景】
【０００２】  マンションのベランダに洗濯物を干すために、ベランダ壁の２ヶ所に洗濯竿支持具を取り付け、物干し竿を挿入して、竿に直接洗濯物を掛けたり、ハンガーを吊るして使用している。
【発明の開示】
【発明が解決しようとする課題】
【０００３】  マンションのベランダで多用されている洗濯竿支持具は、壁面に直角にして水平方向に、高さ１００センチメートル前後に取り付けられているため、丈の長い洗濯物は、干す事ができないという問題があった。
【課題を解決するための手段】
【０００４】  本発明は、その問題を除くためになされたもので、それを図面について説明すれば、中空軸（１）の上部端より略３分の１の箇所を略９０度の角度をもって折り曲げ、折り曲げられた上部端にＵ型支持具（２）を設け、中空軸（１）の下部にＵ字金物（３）を設け、そのＵ字金物（３）でもって洗濯竿支持具に接合して使用する。
【発明の効果】
【０００５】  洗濯竿支持具に接合された本発明の洗濯竿高上げ具により、多段式に洗濯竿が設置でき、従来使用していなかった上の方のスペースを有効利用して、丈の長い洗濯物を干すことができる。
【発明を実施するための最良の形態】
【０００６】  マンション  ベランダの風力は、低層階と高層階では、高層階が強い。本発明の洗濯竿高上げ具の中空軸（１）の上部端に取り付けるＵ型支持具（２）は、低層階では風に竿が飛ばされることは無いが、高層階では風に竿が飛ばされる恐れが有るため、図２．図３の円型支持具（４）にすることによって飛ばされるのを防ぐ。
【図面の簡単な説明】
【０００７】
【図１】  本発明の斜視図である。
【図２】  本発明の実施例を示す斜視図である。
【図３】  本発明の実施例を示す斜視図である。
【図４】  本発明を洗濯竿支持具に接合した状態の正面図である。
【図５】  本発明の使用状態の斜視図である。
【図６】  従来技術に係る洗濯竿支持具の使用状態を示す斜視図である。
【符号の説明】
【０００８】  １  中空軸  ２  Ｕ型支持具  ３  Ｕ字金物  ４  円型支持具
【図１】
2013081744.tif 000003
【図２】
2013081744.tif 000004
【図３】
2013081744.tif 000005
【図４】
2013081744.tif 000006
【図５】
2013081744.tif 000007
【図６】
2013081744.tif 000008
(57)【要約】【課題】洗面台の脇に洗濯機を設置する際の、洗濯機排水ホースと洗濯機用排水口とを接続する作業は、大変困難で労力を要する作業である。また、洗濯機と洗面台の間の洗濯機排水ホースが占める空間は、ゴミやホコリが溜まりやすい無駄な空間とならざるを得ず、美観的にも良いとは言い難いものである。【解決手段】洗面台床板を取り外し、洗濯機からの洗濯機排水ホースを洗面台下部側面に設けた開口部を通過させ、洗面台下部空間内に導く。その後、建物床に設置されている洗濯機用排水口に洗濯機排水ホースを接続する。【選択図】図１
2013081743.tif 000002
【特許請求の範囲】
【請求項１】
洗面台（１）本体下部側面に、隣接する洗濯機（２）からの洗濯機排水ホース（４）が貫通できる開口部（３）を設け、洗面台床板（６）下の建物床（３２）に設置された洗濯機用排水口（５）と洗濯機排水ホース（４）とを接続できる洗面台下部空間（２１）を併せ持つ洗面台。
【発明の詳細な説明】
【技術分野】
【０００１】  本発明は、洗面台の脇に設置される洗濯機の洗濯機排水ホースと、洗面台下の建物床に設置される洗濯機用排水口を接続する経路と空間を有し、洗濯機排水ホースと洗濯機用排水口との接続や、洗濯機用排水口の点検やメンテナンスを容易にすることができる洗面台に関するものである。
【背景技術】
【０００２】  従来、洗濯機は洗面台の脇に置かれることが多く、このため洗濯機用排水口は洗面台脇の建物床面に設置されることがほとんどである。よって、洗濯機排水ホースと洗濯機用排水口とを接続するためには次のような方法がとられている。
（イ）洗濯機用排水口が洗濯機直下に位置するときは多くの場合、排水ホースが収まる空間を確保するため、洗濯機の脚のかさ上げ部品を取り付けて洗濯機用排水口と洗濯機排水ホースを接続する。
（ロ）洗濯機用排水口が洗濯機脇に位置するときは、洗濯機用排水口をふさがないように洗濯機を配置し、洗濯機と洗面台若しくは建物壁との隙間に洗濯機排水ホースをはわせて、洗濯機用排水口と洗濯機排水ホースとを接続する。
（ハ）洗濯機パンの上に洗濯機を設置し、洗濯機パンにある排水口に洗濯機排水ホースを接続する。ただし、戸建住宅において洗濯機が１階に設置される場合、洗濯機パンを使用することはごく少数である。【０００３】  また、洗面台に洗濯機用の分岐排水管と、洗濯機への給水のための専用蛇口を設ける構造の洗面台（特許文献１）が知られている。
【先行技術文献】
【０００４】
【特許文献１】特開２０００−３７３１２
【特許文献２】特開平８−２５３９６０
【発明の概要】
【発明が解決しようとする課題】
【０００５】  従来、洗濯機は脱衣室内の洗面台の脇に置かれることが多く、このため洗濯機用排水口もまた、洗面台の脇の建物床面に設置されることが大半である。
洗濯機排水ホースと建物床面にある洗濯機用排水口との接続において、次のような困難や問題がある。
（イ）洗濯機用排水口が洗濯機の直下にある場合では、洗濯機の脚のかさ上げが必要であったり、接続に際して洗濯機を持ち上げる必要に迫られるなどの困難な作業を伴う。
（ロ）洗濯機用排水口が洗濯機の脇に位置する場合では、洗濯機用排水口と洗面台若しくは建物壁との間の洗濯機排水ホースが通る空間は、ゴミやホコリがたまりやすく、かつ掃除もしづらい無駄な空間とならざるを得ず、美観的にも良いとは言えないものである。【０００６】  さらに近年、洗濯機の大型化やドラム式のような重量のある洗濯機の普及に伴い、洗濯機の設置作業は一層労力を要するものとなっている。
本発明は、以上の困難や問題点を解決するために発明されたものである。
【課題を解決するための手段】
【０００７】  洗面台床板（６）を取り外し、洗濯機（２）からの洗濯機排水ホース（４）を洗面台（１）下部側面設けた開口部（３）を通過させ、洗面台下部空間（２１）内に導く。その後、建物床（３２）に設置されている洗濯機用排水口（５）に洗濯機排水ホース（４）を接続する。
以上の構成よりなる洗面台。
【発明の効果】
【０００８】  本発明の洗面台を使用することにより、洗濯機の設置作業が楽に効率よく行うことができるようになる。また、洗濯機排水ホースと洗濯機用排水口との接続が、手の届きやすい作業環境下で行うことができることで接続の確実性の向上に寄与する。【０００９】  また、洗濯機用排水口は定期的に点検やメンテナンスをする必要があるが、本発明の洗面台であれば、その際洗濯機を移動する必要がなく、且つ楽な姿勢で作業を行うことができる。【００１０】  接続後の洗濯機排水ホースのたるんだ部分は、本発明の洗面台下部空間の中に収めることができるため美観的に優れると共に、洗濯機と本発明の洗面台との間の無駄な空間が最小限となることで、洗濯機周りの空間の利用効率を高めることができる。
【図面の簡単な説明】
【００１１】
【図１】本発明の洗面台の一例を示すもので、該洗面台の斜視図である。
【図２】本発明の洗面台床板の下の部分の平面図。
【図３】本発明の洗面台内部の断面図。
【図４】本発明の使用状態を示す正面図。
【発明を実施するための形態】
【００１２】  以下本発明の実施の形態について、図を参照して説明する。なお、以下に説明する部材、配置等は本発明を限定するものではなく、本発明の趣旨に沿って各種改変することができることは勿論である。図１は洗濯機排水ホースが洗面台床板下の建物床面に設置された洗濯機用排水口に接続される状態を示す斜視図、図２は図１の洗面台床板の下の部分の平面図、図３は図１の洗面台内部の断面図、図４は洗面台と洗濯機の並びを正面から見た図である。
【００１３】  洗面台（１）の下部側面に開口部（３）を設ける。
洗面台（１）内下部の洗面台床板（６）は容易に取り外しができる構造となっており、これを取り外すと建物床（３２）に到達できる。
洗面台の種類によっては、洗面台床下（６）は洗面台の引き出し内に位置するものもあり、この場合は、洗面台引き出しを引き抜くことで建物床（３２）に到達できる。
洗濯機（２）を設置する際は、あらかじめ洗面台床板（６）を取り外す。
次に洗濯機排水ホース（４）を洗面台の開口部（３）に差し込みながら洗濯機（２）を所定の位置に設置する。
その後、洗面台下の建物床（３２）に設置してある洗濯機用排水口（５）と洗濯機排水ホース（４）とを接続し、たるんだ洗濯機排水ホース（４）は洗面台（１）下の洗面台下部空間（２１）内に納めて、洗面台（１）と洗濯機（２）間の洗濯機排水ホース（４）が最小限の露出となるようにする。
最後に、洗面台床板（６）をもとに戻して洗濯機（２）の設置作業が完了する。
【００１４】  また、洗濯機用排水口（５）の点検やメンテナンスを行う際は、上記と同様、洗面台床板（６）を取り外すことによって、容易に実施することができる。
【符号の説明】
【００１５】１  洗面台
２  洗濯機
３  開口部
４  洗濯機排水ホース
５  洗濯機用排水口
６  洗面台床板
７  台輪
２１  洗面台下部空間
２２  洗面台用排水口
２３  建物壁
３１  洗面ボウル
３２  建物床
【図１】
2013081743.tif 000003
【図２】
2013081743.tif 000004
【図３】
2013081743.tif 000005
【図４】
2013081743.tif 000006
(57)【要約】【課題】  昨今、調理にも節約が求められる。【解決手段】  鍋蓋でコンロの火までおおう。【選択図】図１
2013081746.tif 000002
【特許請求の範囲】
【請求項１】
コンロの火までおおう鍋蓋。
【請求項２】
鍋蓋は、とうめいなものや、多々の材質を含む。
【請求項３】
鍋以外でも、蓋でコンロの火までおおう。
【発明の詳細な説明】
【技術分野】
【０００１】  鍋蓋
【背景技術】
【０００２】  昨今は、調理用コンロが普及している。
【発明の概要】
【発明が解決しようとする課題】
【０００３】  コンロの火が、無駄に使われている。熱が全て使われず、にげている。
【課題を解決するための手段】  鍋蓋で、コンロの火までおおう。
【発明の効果】  調理時間の短縮、節約。
【図面の簡単な説明】
【０００４】
【図１】本発明の実施形態を示す、鍋蓋の図面。
【図１】
2013081746.tif 000003
(57)【要約】      （修正有）【課題】イボ痔を体内に収まった状態にし、下着やズボンにあたり擦れた際の痛みを和らげることができ、また、産後の女性のイボ痔を予防することができるパンツを提供する。【解決手段】パンツに伸縮性のある２本の紐ｂ’’，ｃ’’を取り付ける。肛門に２本の紐ｂ’’，ｃ’’があたり、イボが体外に飛び出さないようにデザインされている。また、パンツに装備する紐はウエストラインから伸縮性のある２本の紐ｂ’’，ｃ’’を前後に渡した。【選択図】図１
2013081727.tif 000002
【特許請求の範囲】
【請求項１】
イボ痔に悩まされる人のために、伸縮性のある２本の紐を取り付けたパンツ、及びパンツの上から装着するＴバック形式の紐状のものである
【発明の詳細な説明】
【技術分野】
【０００１】本発明はイボ痔に悩む人々のために開発したパンツ、及びパンツの上から装着するＴバック形式の紐状のものである
【背景技術】
【０００２】従来、イボ痔の方は病院での手術や市販薬などで対処するしかありません。
市販の薬でもなかなか治りきらず、病院での治療や手術となれば痛い思いをし、費用もかかります。
【発明の開示】
【発明が解決しようとする課題】
【０００３】イボ痔は体外に飛び出すと、下着やズボンにあたり擦れてとても痛く、歩くこともままならぬ状態になります。また、イボの大きさも様々で、１日に飛び出す回数も数十回のときもあります。
イボを体内に収めるまでその痛みは和らぐことはありません。
今回開発したパンツは、そういった症状を抑え、一日を快適に過ごせるように開発したパンツです。
【課題を解決するための手段】
【０００４】本発明はパンツに伸縮性のある２本の紐を取り付けるだけのシンプルなものです。肛門に２本の紐があたり、イボが体外に飛び出さないようにデザインしたものです。又、パンツに装備する紐はウエストラインから伸縮性のある２本の紐を前後に渡したものです。
【発明の効果】
【０００５】本発明は次のような効果を奏する。
請求項目［０００１］に記されているように、本発案のパンツをはくだけでイボ痔が体内に収まった状態になり、健康な人と変わりなく日常生活を送ることが出来ます。イボが出たからと、慌ててトイレに駆け込み、指で強引に体内に戻すこともなく、又、痛みがないのが何よりです。
【図面の簡単な説明】
【０００６】
【図１】パンツに取り付けたヒモ又は、ヒモのみの正面図
【図２】パンツに取り付けたヒモ又はヒモのみの縦断面図
【発明を実施するための形態】
【０００７】従来通りにパンツをはきます。２本の紐を肛門にあてて、紐を少し強く引っ張ります。肛門からイボ痔が出てこないようにします。
【符号の説明】
【０００８】［図Ａ］
ａ→パンツのウエストゴム
ｂ→ｃ、ｄを固定する後ろだけの紐
ｃ→伸縮する１本目の紐
ｄ→伸縮する２本目の紐
ｅ→パンツ全体の布
［図Ｂ］
ａ’→パンツのウエストゴム
ｂ’→伸縮する１本目の紐
ｃ’→伸縮する２本目の紐
ｄ’→パンツ前部分の布
ｅ’→ｂ’、ｃ’を固定する後ろだけの紐
［図Ｃ］
ａ”→ウエストのゴム
ｂ”→伸縮する１本目の紐
ｃ”→伸縮する２本目の紐
【図１】
2013081727.tif 000003
【図２】
2013081727.tif 000004
(57)【要約】      （修正有）【課題】防水シーツのズレによってシーツ・敷布団が汚染し、被介護者に不快感を与え、不衛生でもあり、また修正・交換をする介助者の負担にもつながっていた。防水シーツの止め具を提供する。【解決手段】樹脂平板握り部１の先端に内軸２・中軸３・外軸４を設け、滑り止め５を施した。【選択図】図１
2013081730.tif 000002
【特許請求の範囲】
【請求項１】
樹脂製の平板状からなる握り部の上側に３本の突出軸を握り部と、一体化して設け、突出軸は一端から内軸・中軸・外軸とし、内軸・中軸・外軸の表面には滑り止めを施し、内軸・中軸・外軸の間には隙間を設けた敷布団の介護用防水シーツ止め具。
【発明の詳細な説明】
【技術分野】
【０００１】本発明は、防水シーツ使用者が布団に寝ている時に敷布団の表面に装着した介護用防水シーツがズレることを防ぐための止め具に関するものである。
【背景技術】
【０００２】従来より施設・在宅被介護者は、臥床就寝中に失禁等によりシーツ・敷布団を汚染することが多いため、布団の表面に介護用防水シーツを装着するのが常である。
しかし着床中に被介護者が動くことによって防水シーツがめくれたり，ズレたりして防水シーツが敷布団から外れてしまい防水の役目を果たさないため結局、シーツ・敷布団を汚染してしまうことが多かった。
【発明の概要】
【発明が解決しようとする課題】
【０００３】  防水シーツが敷布団から外れることは、敷布団に寝た状態の被介護者に、シーツ・敷布団を汚すことで不快感を感じさせ、不衛生でもあった。また、その都度シーツや敷布団を交換したり洗濯しなければならないため、介助者にとっても大きな負担を強いることになっていた。防水シーツが敷布団からめくれたりズレたりすることを防ぐための防水シーツ止め具というものはなかった。
本発明は、以上の問題点を解決するためになされたものである。
【課題を解決するための手段】
【０００４】  樹脂製の平板状からなる握り部の上側に３本の突出軸を握り部と一体化して設け、突出軸は内軸・中軸・外軸とし、各軸の表面には滑り止めを施している。内軸・中軸・外軸の間には隙間を設けている。以上の構成よりなる介護用防水シーツ止め具。
【発明の効果】
【０００５】  防水シーツのズレがなく、シーツ・敷布団への汚染が防げ、被介護者の使用感もよくなり、介助者の負担の軽減となった。
本発明は、医療用ケアシーツ、幼児用おねしょシーツ、一枚物のシーツにも使用することができる。また、ベットのマットレスへ直接防水シーツを装着する場合にも有効である。
【図面の簡単な説明】
【０００６】
【図１】  本発明の斜視図
【図２】  本発明の使用状態を示す斜視図
【図３】  本発明の使用状態を示す斜視図
【発明を実施するための形態】
【０００７】  以下、本発明の実施の形態について説明する。
（イ）樹脂製の平板状からなる握り部（１）の上側に、３本の平板状からなる突出軸を握り部（１）と一体化して設ける。
（ロ）突出軸は、一端より内軸（２）・中軸（３）・外軸（４）とし、内軸（２）と中軸（３）と外軸（４）表面には、凹凸状の滑り止めを施している。
（ハ）内軸（２）と中軸（３）と外軸（４）の間には隙間（７）を設けており各隙間（７）の根元は、半円状の小穴を設けて、亀裂を防いでいる。
（ニ）内軸（２）と中軸（３）と外軸（４）の先端は、湾曲状にしている。
（ホ）握り部（１）の根元に中穴（８）を設ける。
本発明は以上のような構造である。
本発明を使用するときは、防水シーツ（９）の端部に内軸（２）・外軸（４）が上、中軸（３）が下になるよう小穴（６）まで挿し込む。握り部（１）を２回転させ、内軸（２）・中軸（３）・外軸（４）を防水シーツ（９）で包んだ状態にし、敷布団（１０）の下に滑り込ませる。四隅に滑り止め具を装着したことで防水シーツは固定される。
【符号の説明】
【０００８】１  握り部  ２  内軸  ３  中軸  ４  外軸  ５  凹凸状の滑り止め  ６  半円状の小穴  ７  隙間  ８  中穴  ９  防水シーツ  １０  敷布団
【図１】
2013081730.tif 000003
【図２】
2013081730.tif 000004
【図３】
2013081730.tif 000005
(57)【要約】【課題】  屋外などで行うバーベキュー等をするとき使用する、カップと箸を一体化できることを可能とした箸入れシート付きコップホルダーを提供する。【解決手段】  円柱形のコップの外周にシートを設け、シートの中央部に箸ストッパーを設け、箸ストッパーに箸穴を設け、シートの先端に接着部を設け、コップ淵に接着部を設け、コップ下部に接着部を設けたことを特徴とする箸入れシート付きコップホルダー。【選択図】図１
2013081724.tif 000002
【特許請求の範囲】
【請求項１】
円柱形のコップの外周にシートを設け、シートの中央部に箸ストッパーを設け、箸ストッパーには箸穴を設け、シートの先端に接着部を設け、コップ淵に接着部を設け、コップ下部に接着部を設けたことを特徴とする箸入れシート付きコップホルダー。
【発明の詳細な説明】
【技術分野】
【０００１】  本発明は、屋外などでバーベキュー等をするときに使用するカップと箸を一体化できることを可能とした箸入れシート付きコップホルダーに関するものである。
【背景技術】
【０００２】  従来、屋外などで行うバーベキューは、焼いた食材を食べきるとき、片手にカップに入った飲み物や料理皿等、片手に箸を持っていた。
【発明の概要】
【発明が解決しようとする課題】
【０００３】  そのために、次のような問題点があった。
屋外などで行うバーベキューは、焼いた食材を食べるとき、片手にカップに入った飲み物や料理皿、片手に箸と両手がふさがり、他の作業をするとき不自由であった。
使用している自分の箸は、置き場所に迷い、テーブルなどに置いても、どれも同じで他人との区別がつけにくかった。
使い捨てのカップは、安定性が悪く風などで倒れることがあった。
飲み物のカップは直接手で持つので手の熱が伝わり易かった。
本発明は以上の問題点を解決するためになされたものである。
【課題を解決するための手段】
【０００４】  円柱形のコップの外周にシートを設け、シートの中央部に箸ストッパー設け、箸ストッパーに箸穴を設け、シートの先端に接着部を設け、コップの淵に接着部を設け、コップ下部に接着部を設ける。
以上を特徴とする箸入れシート付きコップホルダーである。
【発明の効果】
【０００５】  本発明を使用することにより、カップと箸が一体化するので、片方の手が自由に開放され肉を焼くなど、他の作業が容易にできる。
使用している自分の箸の置き場所に迷うこともない。
カップを直接手で持たないのでビールなどの飲み物へ熱が伝わりにくい。
コップホルダーに保冷剤を入れて使用できるので冷却効果も持続する。
コップホルダーは円柱形で安定性があり倒れにくい。
シートは広げて洗浄でき衛生的である。
シートはコップに巻き付く。
【図面の簡単な説明】
【０００６】
【図１】  本発明の組立状態を示した斜視図である。
【図２】  本発明のシートを広げた状態を示した斜視図である。
【図３】  本発明の組立状態の外周の斜視図である。
【図４】  本発明の外周の斜視図である。
【図５】  本発明の使用状態を示した斜視図である。
【図６】  本発明の使用状態を示した斜視図である。
【発明を実施するための形態】
【０００７】  以下、本発明の実施の形態について説明する。
（イ）円柱形のコップ（１）の外周にシート（２）の接着部（３）をコップ（１）の外    周に貼り付け、シート（２）の中央部に箸ストッパー（５）を設け、箸ストッパー（    ５）に箸穴（６）を設け、シート（２）の先端内側に接着部（４）を設ける。
（ロ）コップ（１）の下部に接着部（１０）を設け、コップ淵（７）に接着部（８）を    設け、シート先端の接着部（４）をコップ淵（７）にある接着部（８）に固定して、    ポッケット（９）とする。
本発明は以上のような構造である。
これを使用するときは、円柱形のコップ（１）の外周に取りつけてあるシート（２）の先端の接着部（４）をコップ淵（７）にある接着部（８）に固定してポケット（９）を作る。
さらにシート（２）の中央部にある箸ストッパー（５）を折りあげる。
箸ストッパー（５）にある箸穴（６）に、箸（１１）を挿入することにより箸（１１）が納まり、円柱形のコップ（１）に使い捨てカップ（１２）が納まり、カツプ（１２）と箸（１１）が一体化する。
コップは置いても安定して倒れにくい、カップと箸が片手で持てるのでいつでも片手が自由に使え、肉を焼くなど他の作業が容易になる。
箸はテーブルに直接置くこともなく、いつも自分の手元にある。
使用後は、シートを広げて洗浄した後、先端の接着部（４）をコップ（１）の下部の接着部（１０）に固定する。
以上の構成よりなる、箸入れシート付きコップホルダー。
【符号の説明】
【０００８】１  円柱形コップ
２  シート
３  接着部
４  接着部
５  箸ストッパー
６  箸穴
７  コップ淵
８  接着部
９  ポケット
１０  接着部
１１  箸
１２  カップ
【図１】
2013081724.tif 000003
【図２】
2013081724.tif 000004
【図３】
2013081724.tif 000005
【図４】
2013081724.tif 000006
【図５】
2013081724.tif 000007
【図６】
2013081724.tif 000008